(57)【特許請求の範囲】
【請求項１】
筐体と、
前記筐体内に配設され、且つ、商用電源の非停電時及び停電時に於いてそれぞれ通電状態及び非通電状態となる漏電ブレーカーと、
前記筐体内に配設され、分岐配線との接続を通じて前記漏電ブレーカーの出力部に電気的に接続された入力部を有すると共に、前記商用電源の非停電時及び停電時に於いて通電状態にある安全ブレーカーと、
前記筐体内に配設され、前記分岐配線との接続を通じて前記漏電ブレーカーの前記出力部及び前記安全ブレーカーの前記入力部にのみ電気的に接続された出力部を有すると共に、前記商用電源の非停電時及び停電時に於いてそれぞれ非通電状態及び通電状態となる補助用漏電ブレーカーと、
前記筐体内に配設され、前記補助用漏電ブレーカーの入力部にのみ電気的に接続される出力部及び前記商用電源の停電時に於いて前記筐体の外部の発電機と電気的に接続される入力部を有すると共に、前記商用電源の非停電時及び停電時に於いてそれぞれ非通電状態及び通電状態となる補助用コンセントと
を備えていることを特徴とする、分電盤。
【請求項２】
筐体と、
前記筐体内に配設された漏電ブレーカーと、
前記筐体内に配設され、前記漏電ブレーカーの出力部に電気的に接続された入力部を有する安全ブレーカーと、
前記筐体内に配設され、前記漏電ブレーカーの前記出力部に電気的に接続された出力部を有する補助用漏電ブレーカーと、
前記筐体内に配設され、前記補助用漏電ブレーカーの入力部に電気的に接続された補助用コンセントと
を備えており、
前記筐体は開閉自在な蓋を有しており、
前記蓋は前記蓋を貫通する貫通孔を有しており、
商用電源の停電時には、前記補助用コンセントは、閉まった状態にある前記蓋の前記貫通孔を通る配線ケーブルを通じて、前記筐体の外部の発電機と電気的に接続される
ことを特徴とする、分電盤。
【請求項３】
請求項２に記載の分電盤であって、
前記筐体の前記蓋は、前記商用電源の非停電時には前記貫通孔を閉めた状態にある、開閉自在な貫通孔用蓋を更に有する
ことを特徴とする、分電盤。
【請求項４】
筐体と、
前記筐体内に配設され、且つ、商用電源の非停電時及び停電時に於いてそれぞれ通電状態及び非通電状態となる漏電ブレーカーと、
前記筐体内に配設され、分岐配線との接続を通じて前記漏電ブレーカーの出力部に電気的に接続された入力部を有すると共に、前記商用電源の非停電時及び停電時に於いて通電状態にある安全ブレーカーと、
前記筐体内に配設され、前記分岐配線との接続を通じて前記漏電ブレーカーの出力部及び前記安全ブレーカーの前記入力部にのみ電気的に接続される出力部、並びに、前記商用電源の停電時に於いて前記筐体の外部の補助用漏電ブレーカー及び発電機と電気的に接続される入力部を有し、且つ、前記商用電源の非停電時及び停電時に於いてそれぞれ非通電状態及び通電状態となる補助用コンセントと
を備えていることを特徴とする、分電盤。
【請求項５】
筐体と、
前記筐体内に配設された漏電ブレーカーと、
前記筐体内に配設され、前記漏電ブレーカーの出力部に電気的に接続された入力部を有する安全ブレーカーと、
前記筐体内に配設され、前記漏電ブレーカーの出力部に配線を介して直接に電気的に接続された補助用コンセントと
を備えており、
前記筐体は開閉自在な蓋を有しており、
前記蓋は前記蓋を貫通する貫通孔を有しており、
商用電源の停電時には、前記補助用コンセントは、閉まった状態にある前記蓋の前記貫通孔を通る配線ケーブルを通じて、前記筐体の外部の補助用漏電ブレーカーの出力部に電気的に接続される
ことを特徴とする、分電盤。
【請求項６】
請求項５に記載の分電盤であって、
前記筐体の前記蓋は、前記商用電源の非停電時には前記貫通孔を閉めた状態にある、開閉自在な貫通孔用蓋を更に有する
ことを特徴とする、分電盤。
【発明の詳細な説明】
【技術分野】
【０００１】
本発明は、災害等による停電時に対応可能な分電盤の構成に関する。
【背景技術】
【０００２】
建築物の壁面に、コンセントである発電機接続部と、スイッチである切り替え装置とを設置しておき、停電時には、上記スイッチを分電盤の安全ブレーカーの出力部側から発電機側に切り替えることで、上記発電機より上記コンセントを介して非常照明へ直接に電力を供給する電力供給方法が、提案されている（例えば特許文献１を参照。）。
【０００３】
又、停電時に、屋外の発電機より屋外のコンセントを介して分電盤内の漏電ブレーカーに電力を供給する電力供給方法が提案されている（例えば特許文献２を参照。）。
【先行技術文献】
【特許文献】
【０００４】
【特許文献１】実用新案登録第３１８５９３６号公報（０００５段落、図１）
【特許文献２】特許第５９５４８９３号公報（特開２０１４−３７３０号公報）
【発明の概要】
【発明が解決しようとする課題】
【０００５】
（１）地震、豪雨、大雪又は台風等の災害により、或いは、夏場等での電力不足により、商用電源より電力が供給されなくなる「停電」が、長期間に亘って又は短期間に亘って発生する場合がある。この様な災害等による停電が発生した場合には、建物の部屋内に常時設置されて使用されている照明器が全く発光しなくなるので、当該建物内に居ている人にとっては大変不便であり、精神的にも不安となる。そのため、災害等による停電が発生した時であっても、電気が復興するまでの期間、部屋内に常時設置されて日常使用されている照明器が、別の電源からの電力供給による火災等のトラブルが発生し難く且つ容易な操作を行うだけで、使用可能となる電力供給方式の実現が期待される。
【０００６】
（２）更に、災害等の停電時には、部屋内に居ながらも、災害の状況等の社会状況を知らせる情報乃至はニュースを知りたいと思うのが、人間の心情である。そのためには、部屋内の壁に配設されているコンセントに接続されている、テレビジョン（以下「テレビ」という。）・パーソナルコンピューター（以下「パソコン」という。）等の比較的消費電力の低い電気機器を動作可能としてテレビ番組を視聴出来、或いは、インターネットを活用出来る電力供給方式の実現も期待される。
【０００７】
（３）更に、上記（２）と同様な観点から、外部との通信が可能な通信機器を確保しておくために、携帯電話機・スマートフォン・タブレット端末等の様な携帯端末機器の充電を部屋内の壁に配設されているコンセントとの接続を通じて可能とし得る電力供給方式の実現も期待される。
【０００８】
（発明の目的）
この発明はその様な問題点に鑑みて成されたものであり、その主目的は、災害等による停電時であっても、電気が復興するまでの期間、部屋内に常時設置されて日常使用されている照明器・テレビジョン等の比較的に消費電力の低い電気機器を、漏電等の電気的なトラブルを起こす心配無く且つ比較的容易な操作で以って使用可能とし得る、停電時に対応可能な分電盤を提供する点にある。
【課題を解決するための手段】
【０００９】
本発明の主題に係る分電盤は、筐体と、前記筐体内に配設された漏電ブレーカーと、前記筐体内に配設され、前記漏電ブレーカーの出力部に電気的に接続された入力部を有する安全ブレーカーと、前記筐体内に配設され、前記漏電ブレーカーの前記出力部に電気的に接続された出力部を有する補助用漏電ブレーカーと、前記筐体内に配設され、前記補助用漏電ブレーカーの入力部に電気的に接続された補助用コンセントとを備えており、前記筐体は開閉自在な蓋を有しており、前記蓋は前記蓋を貫通する貫通孔を有しており、商用電源の停電時には、前記補助用コンセントは、閉まった状態にある前記蓋の前記貫通孔を通る配線ケーブルを通じて、前記筐体の外部の発電機と電気的に接続されることを特徴とする。
以下、本発明の様々な具体化を、添付図面を基に、その効果・利点と共に、詳述する。
【図面の簡単な説明】
【００１０】
【図１】本発明の実施の形態１に係る分電盤の構成・使用態様を模式的に示す図である。
【図２】本発明の実施の形態２に係る分電盤の構成・使用態様を模式的に示す図である。
【図３】本発明の実施の形態３に係る分電盤の筐体の外観を模式的に示す、当該分電盤を下方から眺めた際の斜視図である。
【図４】本発明の変形例（１）に係る分電盤の構成・使用態様を模式的に示す図である。
【発明を実施するための形態】
【００１１】
（実施の形態１）
＜分電盤の構成＞
【００１２】
本実施の形態に係る分電盤は、アンペアブレーカー（電流制限器）を取り付けるための設置スペースである「リミッタスペース」が予め分電盤内に設けられている場合のものである。
【００１３】
図１は、その様な分電盤１００の筐体（箱体）１０１内の構成を模式的に示す図である。図１に示される様に、分電盤１００の筐体１０１内には、中核的な構成要素として、アンペアブレーカー（電流制限器）１、漏電ブレーカー（漏電遮断器）２、複数の安全ブレーカー（配線用遮断器）３、補助用漏電ブレーカー（漏電遮断器）４、補助用コンセント５、及び、分岐配線１４，１５，１６が、配設されている。本実施の形態に於いては、分電盤１００の筐体１０１は、分電盤１００内の上記各構成要素１，２，３，４，５，１４，１５，１６を被覆する蓋を有していない。分電盤１００の上記構成要素の内で、停電時に作動するものが、後述する通り、補助用コンセント５、補助用漏電ブレーカー４及び各安全ブレーカー３（３Ａ，３Ｂ）である。分電盤１００の外部の構成要素は、商用電源１２、電流計１３、配線ケーブル６、屋内発電機７、各部屋の壁に配設される掃除機・テレビ等の電気機器（照明器を除く。）用のコンセント１１，１１Ａである。更に、分電盤１００の外部の構成要素として、各部屋の天井面に取り付けられて常時使用される照明器（ＬＥＤ照明器等。）１０、安全ブレーカー３Ａより照明器１０までの分岐回路上に配設される照明器用スイッチ８、及び、各部屋の天井面に配設されて照明器１０と電気的・機械的に接続される照明器用コンセント９がある。尚、照明器用コンセント９Ａは、和室用のものであって、和室の壁等に、照明器１０の「入る」及び「切る」を行うための照明器用スイッチ８が設けられていない場合の照明器用コンセントである。更に、分電盤１００の外部の構成要素として、エアコン・電子レンジ等と比較して消費電力が低く且つコンセント１１Ａに常時接続されて使用されるテレビ又はパソコン１７の電気製品、及び、充電のためにコンセント１１Ａに接続される携帯端末機（携帯電話機・スマートフォン・タブレット端末）１８がある。
【００１４】
本実施の形態に係る分電盤１００に於いては、複数の安全ブレーカー３は、１）各部屋の照明器１０までの分岐回路の安全を守る遮断機能を呈する安全ブレーカー３Ａと、２）各部屋のコンセント１１までの分岐回路の安全を守る遮断機能を呈する安全ブレーカー３Ｂとから成る。この内、安全ブレーカー３Ａの入力部は、アースを取るための中性線である分岐配線１５と、一方の電圧側電線である分岐配線１６とに接続されており、安全ブレーカー３Ａの出力部は対応する部屋の照明器１０までの分岐回路の一端部を成す。他方、安全ブレーカー３Ｂの入力部は、分岐配線１５と、他方の電圧側電線である分岐配線１４とに接続されており、安全ブレーカー３Ｂの出力部は対応する部屋のコンセント１１までの分岐回路の一端部を成す。或いは、安全ブレーカー３Ｂの入力部は、分岐配線１５と、一方の電圧側電線である分岐配線１６とに接続されており、斯かる安全ブレーカー３Ｂの出力部は、テレビ又はパソコン１７の有る部屋のコンセント１１Ａまでの分岐回路の一端部を成す。尚、使用する電気機器がエアコンである場合には、図１に図示されていないが、安全ブレーカー３の入力部は、一方の電圧側電線である分岐配線１６と、他方の電圧側電線である分岐配線１４とに接続される。
【００１５】
分電盤１００の筐体１０１内のアンペアブレーカー１は、周知の通り、電力会社との契約で定められた定格以上の電流が流れたときに自動的に回路乃至電気を遮断する機能を呈するブレーカー（遮断器）である。このアンペアブレーカー１の入力部は、電流計１３を介して、商用電源１２に電気的に接続されている。
【００１６】
又、アンペアブレーカー１の出力部に電気的に接続された入力部を有する漏電ブレーカー２は、周知の通り、建物内の配線に又はコンセント９，１１，１１Ａに接続している電気製品に故障等により万一漏電が発生したときに漏電を検知して自動的に回路乃至は電気を遮断ないしは切るブレーカー（遮断器）である。漏電ブレーカー２の出力部は、既述の通り、各分岐配線１４，１５，１６との接続を通じて、各安全ブレーカー３の入力部に接続されている。
【００１７】
更に、分電盤１００の筐体１０１内の補助用漏電ブレーカー４は、商用電源１２の停電時に専ら使用される遮断器であり、漏電ブレーカー２の上記出力部に電気的に接続された出力部を有する。この補助用漏電ブレーカー４もまた、漏電ブレーカー２と同様の遮断機能を呈するものであり、建物内の配線に又はコンセント９，９Ａ，１１Ａに接続している各照明器１０、テレビ・パソコン１７に故障等により万一漏電が発生したときに自動的に漏電を検知して回路乃至は電気を遮断ないしは切るブレーカーである。
【００１８】
又、補助用コンセント５の出力端は、補助用漏電ブレーカー４の入力部に電気的に接続されており、停電時に於いてのみ、外部の配線ケーブル６の一端側のプラグ６Ａが補助用コンセント５に差し込まれる。
【００１９】
ここで、屋内発電機７は、屋内に配設可能なコンパクトな既知の発電機であり、種々のタイプの物が屋内発電機７として製品化されている。例えば、ソーラーパネル付きの蓄電池（リチウムイオン電池）を、屋内発電機７として、使用することが出来る。或いは、カセットコンロ用のカセットボンベで作動する発電機を屋内発電機７として使用することが出来る。この場合には、その都度、上記カセットボンベを購入・交換することで、発電機を使用し続けることが可能である。
【００２０】
＜分電盤の動作・利点＞
（１）通常時（非停電時）
商用電源１２が停電していない通常時には、分電盤１００の筐体１０１内のアンペアブレーカー１、漏電ブレーカー２及び全ての安全ブレーカー３は、その各々のハンドルが「入る」側に設定されているので、「ＯＮ状態」にある。他方、分電盤１００の筐体１０１内の補助用漏電ブレーカー４のハンドルは「切る」側に設定されているので、「ＯＦＦ状態」にある。そのため、商用電源１２より分電盤１００の筐体１０１内に供給される電流は、アンペアブレーカー１及び漏電ブレーカー２を介して、各安全ブレーカー３により形成される分岐回路へと流れ、各コンセント９，９Ａ，１１，１１Ａに電気的に接続されている各照明器１０又は／及びテレビ・パソコン１７等の電気機器が作動可能状態に有り、或いは、作動している。
【００２１】
（２）停電時
災害等に起因して商用電源１２が停電している場合には、先ず、分電盤１００の筐体１０１内のアンペアブレーカー１及び漏電ブレーカー２の各ハンドルは「切る」側に倒されて、アンペアブレーカー１及び漏電ブレーカー２は共に「ＯＦＦ状態」に設定される。その上で、分電盤１００の筐体１０１内の補助用漏電ブレーカー４のハンドルは「入る」側に持ち上げられて、補助用漏電ブレーカー４の状態は「ＯＦＦ状態」から「ＯＮ状態」に変更される。そして、分電盤１００の外部にある屋内発電機７のコンセント７Ａに配線ケーブル６の他方のプラグ６Ｂが差し込まれ、他方で、分電盤１００の筐体１０１内の補助用コンセント５には配線ケーブル６の一方のプラグ６Ａが差し込まれる。これにより、分電盤１００の筐体１０１内の補助用漏電ブレーカー４は、同じく筐体１０１内にある補助用コンセント５を介して、分電盤１００の外部の屋内発電機７に電気的に接続された状態となる。そこで、屋内発電機７のスイッチ（図示せず。）がＯＮに入れられて屋内発電機７の状態が「ＯＦＦ状態」から「ＯＮ状態」に変更されると、屋内発電機７から供給される電流は、配線ケーブル６を介して、分電盤１００の筐体１０１内の補助用コンセント５に流入し、更に補助用漏電ブレーカー４を通じて、分岐配線１５，１６に接続されている各安全ブレーカー３Ａ，３Ｂが作る各部屋への分岐回路へと流れる。その結果、各部屋のスイッチ８又は照明器１０のリモートコントローラー（図示せず。）のオン・オフ操作に応じて、各部屋の照明器１０が点灯し又は消灯する。これにより、停電時であっても、屋内発電機７の蓄電量が無くなるまでの間は、全ての部屋又は一部の部屋の照明器１０を点灯させることが出来、当該建物の住人は照明器１０の明るさの下で精神的に安定すると共に、明かりの付いた当該部屋内で作業を行うことも出来る。しかも、住人は、災害等による停電中に、テレビ１７又はインターネットに繋がったパソコン１７の配線ケーブルのプラグをコンセント１１Ａに差し込むことでテレビ又はパソコン１７を起動させて、テレビ又はパソコン１７の画面を通じて、災害等の状況又は社会の状況に関する情報ないしはニュースを得ることが出来る。加えて、住人は、コンセント１１Ａを通じて、スマートフォン等１８の携帯端末機の充電を行うことも可能であり、以って、停電時に於いてもスマートフォン等１８の使用可能状態を確保することが出来る。この様に、停電が続く状態に於いても、住人は、建物の外部に居る者との間で電話・Ｅメール等の通信を行うことが出来ると共に、インターネットを介してＳＮＳ等より多くの情報を知り得ることが出来る。従って、停電状態という不安な状況に於いても、住人は精神的な安定を取り戻して維持することが出来る。そして、停電時に若し漏電が生じた場合には、分電盤１００の筐体１０１内の補助用漏電ブレーカー４は、瞬時に当該漏電を検知して、屋内発電機７から供給されている電流を自動的に遮断し、電気的トラブルからの住人の身の安全を確保し得る。この場合には、住人は、漏電の原因（例えば、或る部屋の照明器１０の故障。）を取り除いた上で、補助用漏電ブレーカー４の落ちたハンドルを持ち上げることで、補助用漏電ブレーカー４の状態を再度「ＯＮ状態」に設定する。これにより、住人は、停電中に於ける部屋の照明器１０の点灯等の上記各利点を、その後も得ることが出来る。以上の通り、分電盤１００の上記作動・作用により、分電盤１００は、災害等による停電時であっても、電気が復興するまでの期間、部屋内に常時設置されて日常使用されている照明器・テレビジョン等の比較的に消費電力の低い電気機器を、漏電等の電気的なトラブルを起こす心配無く且つ比較的容易な操作で以って、使用可能とする。
【００２２】
（３）停電の復興時
停電状態が解消されて非停電状態が復興した場合には、住人は、先ず、屋内発電機７のスイッチを切る等の操作を行って屋内発電機７の状態をＯＦＦ状態に設定した上で、分電盤１００の筐体１０１内の補助用コンセント５より配線ケーブル６のプラグ６Ａを抜き出す。これにより、分電盤１００の筐体１０１内の補助用コンセント５と外部の屋内発電機７との電気的接続状態は、完全に電気的に切断された状態（ＯＦＦ状態）となり、補助用漏電ブレーカー４より各安全ブレーカー３Ａが形成する分岐回路側へと流れる電流は無くなる。そこで、住人は、補助用漏電ブレーカー４のハンドルを下方側へ降ろす操作を行うことで、補助用漏電ブレーカー４の状態を「切れた状態（ＯＦＦ状態）」に設定する。その上で、住人は、分電盤１００の筐体１０１内のアンペアブレーカー１及び漏電ブレーカー２の各々のハンドルを持ち上げて各ブレーカー１，２を「入る状態（ＯＮ状態）」に設定する。これにより、復旧した商用電源１２からの電流が、アンペアブレーカー１及び漏電ブレーカー２を通じて、各安全ブレーカー３が形成する各分岐回路側へと流れる。この様に、停電の復興時に於いて住人の行うべき操作は、比較的に容易である。
【００２３】
（実施の形態２）
本実施の形態に係る分電盤は、実施の形態１に係る分電盤１００と比較して、分電盤の筐体内に「リミッタスペース」を有さないタイプのものである。従って、分電盤の筐体内には、アンペアブレーカーは存在しない。ここで、図２は、本実施の形態に係る分電盤１００Ａの筐体１０１内の構成要素等を示す図である。図２の各構成要素は、図１のアンペアブレーカー１が存在しない点を除いて、図１の各構成要素に対応しており、同一のものである。従って、本実施の形態では、図２の分電盤１００Ａの筐体１０１内の各構成要素の構成・動作乃至作用の記載に関しては、実施の形態１に於ける分電盤１００の筐体１０１内の対応する各構成要素の構成・動作乃至作用の記載を援用する。
【００２４】
図２の分電盤１００Ａに於いても、商用電源１２の停電状態に於いては、本体の漏電ブレーカー２と入違って補助用漏電ブレーカー４が「入る状態（ＯＮ状態）」に変更・設定される結果、屋内発電機７が配線ケーブル６を介して補助用コンセント５に電気的に接続されると、屋内発電機７から供給される電流は、補助用漏電ブレーカー４を通じて、各安全ブレーカー３Ａが形成する各分岐回路へと流れる。その結果、各部屋の照明器１０は点灯可能状態となる。その他の比較的消費電力の小さい電気機器（テレビ・パソコン１７、スマートフォン等１８）も、同様に、各々、起動可能状態・充電可能状態となり得る。故に、本実施の形態に於いても、分電盤１００Ａの作動・作用により、分電盤１００Ａは、災害等による停電時であっても、電気が復興するまでの期間、部屋内に常時設置されて日常使用されている照明器・テレビジョン等の比較的に消費電力の低い電気機器を、漏電等の電気的なトラブルを起こす心配無く且つ比較的容易な操作で以って、使用可能とする。
【００２５】
（実施の形態３）
本実施の形態に係る分電盤は、既述した実施の形態１，２及び後述する変形例（１）に係る各分電盤１００，１００Ａ，１００Ｂに共通して適用可能なものであり、その筐体１０１に関して以下の特徴点を有する。
【００２６】
＜特徴点１＞
本実施の形態に係る分電盤は、その筐体１０１に、開閉自在な蓋を有している。当該蓋は、この蓋を貫通する貫通孔を有している。当該貫通孔の配設位置・形状は、基本的に任意である。そして、商用電源１２の停電時には、分電盤の筐体１０１内の補助用コンセント５は、閉まった状態にある蓋の上記貫通孔を通り抜ける外部の配線ケーブル６を通じて、筐体１０１の外部の発電機７と電気的に接続される。即ち、蓋の上記貫通孔は、上記の配線ケーブル６全体が当該貫通孔を貫通出来るだけの開口寸法を少なくとも有している。
【００２７】
＜特徴点２＞
本実施の形態に係る分電盤の筐体１０１の上記蓋は、開閉自在な上記貫通孔用の蓋を更に有しており、当該貫通孔用蓋は商用電源１２の非停電時には上記貫通孔を閉めた状態にある。
【００２８】
＜具体化＞
図３は、本実施の形態に係る分電盤１００，１００Ａ，１００Ｂの筐体１０１の外観を模式的に示す、当該分電盤１００，１００Ａ，１００Ｂを下方から眺めた際の斜視図である。図３に於いて、筐体１０１は、矢印Ａで示す方向に開閉自在な蓋１０２を有している。この蓋１０２は、それが閉められている場合には、筐体１０１内に配設される分電盤１００，１００Ａ，１００Ｂの各構成要素を全体的に被覆している。但し、蓋１０２には、既述の補助用コンセント５に対面乃至は対向する蓋１０２の部分を貫通する貫通孔１０３が配設されている。そして、貫通孔１０３は、商用電源１２の非停電時である通常時には閉められている開閉自在な貫通孔用蓋１０４を有する。
【００２９】
図３は、商用電源１２が停電時にあるときの、蓋１０２が閉ざされている状態にある筐体１０１内の補助用コンセント５と、筐体１０１の外部に配設された屋内発電機７とを、配線ケーブル６を用いて電気的に接続する状態を模式的に示している。図３に示される通り、貫通孔用蓋１０４は完全に開かれた状態にあり、その結果、蓋１０２によって閉ざされている状態にある筐体１０１内の補助用コンセント５が顕出している。そして、配線ケーブル６の一端部にあるプラグ６Ａが補助用コンセント５に差し込まれ、且つ、配線ケーブル６の本体は貫通孔１０３を貫通して筐体１０１の蓋１０２より外部に突出している。その上で、配線ケーブル６の他端部にあるプラグ６Ｂが、屋内発電機７のコンセント７Ａに差し込まれる。これにより、筐体１０１内の補助用コンセント５及び補助用漏電ブレーカー４と屋内発電機７との電気的導通が実現される。尚、図３とは異なり、貫通孔１０３が蓋１０２の内で補助用コンセント５に対面する部分以外の部分に配設されている場合には、蓋１０２が僅かに持ち上げられて少しばかり開いている状態に於いて、配線ケーブル６のプラグ６Ａが補助用コンセント５に差し込まれ且つ配線ケーブル６が貫通孔１０３を貫通する様に設定された上で、蓋１０２が完全に閉められることとなる。
【００３０】
図３に示される通り、通常時（非停電時）に於いては、分電盤１００，１００Ａ，１００Ｂの使用態様として、蓋１０２及び貫通孔用蓋１０４が完全に閉ざされている状態にあるので、筐体１０１内の各構成要素は蓋１０２で被覆されて外部の空間に露出してはいない。そのため、本実施の形態の利点として、（１）分電盤１００，１００Ａ，１００Ｂの筐体１０１内の各構成要素は、外部の湿気及び粉塵の侵入から保護されている状態にあり、又、（２）住人の身体が分電盤１００，１００Ａ，１００Ｂの筐体１０１内の各構成要素に接触することが防止されている。
【００３１】
（変形例）
（１）漏電ブレーカー自体は、それ単体で、市場に於いて販売されている。斯かる観点を踏まえて構成された分電盤１００Ｂの筐体１０１内の構成要素を示す図が、図４である。図４に示される通り、本変形例に係る分電盤１００Ｂの筐体１０１内に於いては、補助用コンセント５の出力部は、配線１９を通じて、漏電ブレーカー２の出力部に直接に電気的に接続されている。他方で、補助用漏電ブレーカー４は、分電盤１００Ｂの筐体１０１の外部に配設されている。この構成では、配線ケーブル６のプラグ６Ａは補助用コンセント５に差し込まれ、プラグ６Ｃは補助用漏電ブレーカー４の補助用コンセント５Ａに差し込まれ、配線ケーブル６のプラグ６Ｄは補助用漏電ブレーカー４の補助用コンセント５Ｂに差し込まれ、プラグ６Ｂは屋内発電機７のコンセント７Ａに差し込まれる。本変形例に於いても、実施の形態１，２に於いて既述した作用・利点が同様に得られることは言うまでもない。尚、本変形例の構成を、図１の様なアンペアブレーカー１を備える分電盤に対して適用しても良く、同様の作用・利点が得られる。
【００３２】
（２）実施の形態１，２，３及び変形例（１）では、何れも単相３線式配線の分電盤について本発明の主題が記載されたが、これに代えて、本発明の主題は、単相２線式配線の分電盤に対しても、実施の形態１，２，３又は変形例（１）と同様な構成で以って適用可能である。その場合にも、実施の形態１，２，３又は変形例（１）に於いて既述した作用・効果が、同様に得られる。
【００３３】
（３）実施の形態１，２，３及び変形例（１）では、何れも分電盤１００，１００Ａ，１００Ｂ内の補助用コンセント５に電気的に接続される「外部の発電機」として、屋内発電機７が適用されている。しかし、これに代えて、使用時には屋外に配置され且つ非使用時には屋内に配置される小型の発電機、或いは、常時屋外に配置される小型又は大型の屋外発電機が適用されても良い。
【００３４】
（４）本発明に係る分電盤は、例えば震度５強以上の地震を感知して自動的に電流の遮断を行う感震機能を呈するブレーカーを併せて備えていても良い。
【００３５】
（５）実施の形態１（図１），２（図２）並びに変形例（１）（図４）に関して、安全ブレーカー３Ｂ側に於いても、追加の補助用漏電ブレーカー及び補助用コンセント、並びに、追加の補助用コンセントを更に設けても良い。この場合には、図３に於ける貫通孔１０３及び貫通孔用蓋１０４に相当する貫通孔及び貫通孔用蓋が、蓋１０２に更に配設されても良い。
【００３６】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００３７】
本発明は、例えば、災害等による停電時に、電気が復興するまでの期間、部屋内の照明器又は部屋内のコンセントに電力を供給可能な分電盤に適用して好適である。
【符号の説明】
【００３８】
１００，１００Ａ，１００Ｂ  分電盤
１０１  分電盤の筐体
１０２  分電盤の筐体の蓋
１０３  貫通孔
１０４  貫通孔用蓋
Ａ  分電盤の筐体の蓋の開封方向
１  アンペアブレーカー
２  漏電ブレーカー
３  安全ブレーカー
４  補助用漏電ブレーカー
５  補助用コンセント
６  配線ケーブル
７  屋内発電機
８  部屋内の照明器用スイッチ
９  部屋内の照明器用コンセント
１０  部屋内の照明器
１１  部屋内のコンセント
１２  商用電源
１４，１５，１６  分岐配線
１７  配線
【要約】
【課題】停電時に部屋内の照明器等を漏電を防止して使用可能とする分電盤を提供する。
【解決手段】分電盤１００Ａの筐体１０１内には、漏電ブレーカー２、複数の安全ブレーカー３、補助用漏電ブレーカー４及び補助用コンセント５が配設される。これらの構成２，３，４，５は、通常、筐体１０１の開閉自在な蓋で被覆されている。通常時は、漏電ブレーカー２及び各安全ブレーカー３はＯＮ状態にあり、補助用漏電ブレーカー４はＯＦＦ状態にある。停電時は、漏電ブレーカー２はＯＦＦ状態に切り替えられ、補助用漏電ブレーカー４はＯＮ状態に切り替えられ、補助用コンセント５は配線ケーブル６により外部の屋内発電機７に接続される。その場合、補助用コンセント５に接続された配線ケーブル６は筐体１０１の蓋に配設された貫通孔を通る。屋内発電機７より供給される電流は、補助用漏電ブレーカー４及び安全ブレーカー３Ａを通じて、部屋内の照明器１０に流入する。
【選択図】図２【図１】
0006734492.tif 000002
【図２】
0006734492.tif 000003
【図３】
0006734492.tif 000004
【図４】
0006734492.tif 000005